(57)【要約】【課題】本発明は、効率及びマージンを向上し得るプラズマディスプレイパネルのエネルギー回収装置を提供するためのものである。【解決手段】本発明に係るプラズマディスプレイ装置においては、電極を含むプラズマディスプレイパネル及び前記電極に印加されるパルスの供給経路上に位置した可変インダクタを含むエネルギー/回収供給部を含むことを特徴とする。 【選択図】図３
2006285249.tif 000002
【特許請求の範囲】
【請求項１】
電極を含むプラズマディスプレイパネル;及び
前記電極に印加されるパルスの供給経路上に位置した可変インダクタを含むエネルギー/回収供給部を含むことを特徴とする、プラズマディスプレイ装置。
【請求項２】
電極を含むプラズマディスプレイパネル;
前記電極にサステインパルスを印加するためのサステイン電圧を供給するサステイン電圧供給部;及び
前記電極に印加される前記サステインパルスの傾斜度を一定にするエネルギー回収/供給部を含むことを特徴とする、プラズマディスプレイ装置。
【請求項３】
前記エネルギー回収/供給部は、
前記プラズマディスプレイパネルにエネルギーを供給及び回収するためのソースキャパシタ;及び
該ソースキャパシタと前記電極の間に接続され、前記サステインパルスの傾斜度を一定にするように可変インダクタを含むことを特徴とする、
請求項２記載のプラズマディスプレイ装置。
【請求項４】
前記エネルギー回収/供給部は、
前記プラズマディスプレイパネルにエネルギーを供給及び回収するためのソースキャパシタ;
該ソースキャパシタと前記プラズマディスプレイパネルの電極の間に接続された第１インダクタ;
前記ソースキャパシタと前記第１インダクタの間に接続された第２インダクタ;及び
前記ソースキャパシタと前記第１インダクタの間に前記第２インダクタと並列に接続された第３インダクタを含むことを特徴とする、
請求項２記載のプラズマディスプレイ装置。
【請求項５】
前記第１インダクタ、前記第２インダクタ及び前記第３インダクタは、インダクタンスを可変し得る可変インダクタであることを特徴とする、
請求項４記載のプラズマディスプレイ装置。
【請求項６】
前記第１インダクタ、前記第２インダクタ及び前記第３インダクタは、同一のインダクタンスを持つことを特徴とする、請求項５記載のプラズマディスプレイ装置。
【請求項７】
前記第１インダクタ、前記第２インダクタ及び前記第３インダクタは、互いに異なるインダクタンスを持つことを特徴とする請求項５記載のプラズマディスプレイ装置。
【請求項８】
前記第２インダクタは、前記第３インダクタより大きいインダクタンスを持つことを特徴とする、請求項７記載のプラズマディスプレイ装置。
【請求項９】
前記第１インダクタは、一定のインダクタンスを持って、前記第２インダクタ及び前記第３インダクタは、インダクタンスを可変し得る可変インダクタであることを特徴とする、請求項４記載のプラズマディスプレイ装置。
【請求項１０】
前記第１インダクタ、前記第２インダクタ及び前記第３インダクタは、同一のインダクタンスを持つことを特徴とする、請求項９記載のプラズマディスプレイ装置。
【請求項１１】
前記第１インダクタ、前記第２インダクタ及び前記第３インダクタは、互いに異なるインダクタンスを持つことを特徴とする、請求項９記載のプラズマディスプレイ装置。
【請求項１２】
前記第２インダクタは、前記第３インダクタより大きいインダクタンスを持つことを特徴とする請求項１１記載のプラズマディスプレイ装置。
【請求項１３】
前記第１インダクタは、インダクタンスを可変し得る可変インダクタで、前記第２インダクタ及び前記第３インダクタは、一定のインダクタンスを持つことを特徴とする、
請求項４記載のプラズマディスプレイ装置。
【請求項１４】
前記第１インダクタ、前記第２インダクタ及び前記第３インダクタは、同一のインダクタンスを持つことを特徴とする、請求項１３記載のプラズマディスプレイ装置。
【請求項１５】
前記第１インダクタ、前記第２インダクタ及び前記第３インダクタは、互いに異なるインダクタンスを持つことを特徴とする、請求項１３記載のプラズマディスプレイ装置。
【請求項１６】
前記第２インダクタは、前記第３インダクタより大きいインダクタンスを持つことを特徴とする、請求項１５記載のプラズマディスプレイ装置。
【請求項１７】
電極を含むプラズマディスプレイパネル;及び
前記電極に印加されるパルスの充/放電パス上に位置し、画面のパターンまたは前記プラズマディスプレイパネルのロードによってインダクタンスが可変するインダクタを含むエネルギー回収/供給部を含むことを特徴とするプラズマディスプレイ装置。
【請求項１８】
前記エネルギー回収/供給部は、
前記プラズマディスプレイパネルにエネルギーを供給及び回収するためのソースキャパシタ;
前記プラズマディスプレイパネルのエネルギーを供給する経路上に前記ソースキャパシタと前記プラズマディスプレイパネルの電極の間に接続された第２インダクタ;及び
前記プラズマディスプレイパネルのエネルギーを回収する経路上に前記ソースキャパシタと前記プラズマディスプレイパネルの電極の間に前記第２インダクタと並列に接続された第３インダクタを含むことを特徴とする、
請求項１７記載のプラズマディスプレイ装置。
【請求項１９】
画面のパターンまたはプラズマディスプレイパネルのロードによって充/放電パス上のインダクタのインダクタンスを変化させる段階;及び
前記サステインパルスの上昇/下降する傾斜度を一定にする段階、
を含むことを特徴とするプラズマディスプレイ装置の駆動方法。
【請求項２０】
前記インダクタは、可変インダクタであることを特徴とする、請求項１９記載のプラズマディスプレイ装置の駆動方法。
【発明の詳細な説明】
【技術分野】
【０００１】
本発明は、ディスプレイ装置に関するもので、詳しくは、プラズマディスプレイ装置及びその駆動方法に関するものである。
【背景技術】
【０００２】
一般に、ディスプレイ装置の中でプラズマディスプレイ装置においては、プラズマディスプレイパネルとプラズマディスプレイパネルを駆動するための駆動部を含む。
【０００３】
最近、陰極線管（Cathode  Ray  Tube）の短所である重さと体積を減らし得る各種の平板表示装置が開発されている。
【０００４】
このような平板表示装置は、液晶表示装置（Liquid  Crystal  Display:LCD）、電界放出表示装置（Field  Emission  Display:FED）、プラズマディスプレイパネル（Plasma  Display  Panel:以下、"ＰＤＰ"と略す）及びエレクトロルミネセンス（Electro-Luminescence:EL）表示装置などがある。
【０００５】
この中で、ＰＤＰは、気体放電を利用した表示素子として大型パネルの製作が容易であるという長所がある。
【０００６】
現在、大部分のＰＤＰは、上部基板にスキャン電極及びサステイン電極が形成され、下部基板にアドレス電極が形成された３電極交流面放電型ＰＤＰが主に使われる。
【０００７】
このような３電極交流面放電型ＰＤＰは、多数個のサブフィールドに分離して駆動され、各サブフィールド期間には、ビデオデータの加重値に比例した回数の発光が進行されることで、階調表示が行われるようになる。
【０００８】
この時、サブフィールドは、再び、初期化期間、アドレス期間及びサステイン期間に分割されて駆動される。
【０００９】
ここで、初期化期間は、放電セルに均一な壁電荷を形成する期間で、アドレス期間は、ビデオデータの論理値によって選択的なアドレス放電を発生する期間であり、サステイン期間は、アドレス放電が発生された放電セルで放電が維持されるようにする期間である。
【００１０】
このように駆動される３電極交流面放電型ＰＤＰのアドレス放電及びサステイン放電には、数百ボルト以上の高圧が必要となる。したがって、ＰＤＰにおいては、アドレス放電及びサステイン放電に必要な駆動電力を最小化するためにエネルギー回収装置が利用される。
【００１１】
図１は、一般的なＰＤＰのエネルギー回収装置を示した回路図である。
【００１２】
図１を参照すると、'Weber（ＵＳＰ-５０８１４００）'によって提案されたプラズマディスプレイパネルのエネルギー回収装置２、１２は、パネルキャパシタ（Ｃｐ）を間に置いて互いに対称的に設置される。
【００１３】
ここで、前記パネルキャパシタ（Ｃｐ）は、ＰＤＰのスキャン電極（Ｙ）とサステイン電極（Ｚ）の間に形成される静電容量を等価的に示したものである。
【００１４】
このようなエネルギー回収装置において、第１エネルギー回収装置２は、スキャン電極（Ｙ）にサステインパルスを供給し、第２エネルギー回収装置１２は、第１エネルギー回収装置２と交番的に動作しながらサステイン電極（Ｚ）にサステインパルスを供給する。
【００１５】
一般的なＰＤＰのエネルギー回収装置２、１２の構成を第１エネルギー回収装置２を参照して説明すると、次のようである。
【００１６】
第１エネルギー回収装置２は、エネルギー回収/供給部４、サステイン電圧供給部６及び基底電圧供給部８を含む。
【００１７】
前記エネルギー回収/供給部４は、サステイン期間の間にＰＤＰで放電に寄与しなかった無効電力のエネルギーを前記パネルキャパシタ（Ｃｐ）から回収すると共に、該回収されたエネルギーを前記パネルキャパシタ（Ｃｐ）に供給する。
【００１８】
このようなエネルギー回収/供給部４は、回収されたエネルギーを貯蔵するためのソースキャパシタ（Ｃｓ１）、該ソースキャパシタ（Ｃｓ１）と前記サステイン電圧供給部６及び基底電圧供給部８の共通端子である第２ノード（Ｎ２）の間に接続された第１インダクタ（Ｌ１）、前記ソースキャパシタ（Ｃｓ１）に貯蔵されたエネルギーを前記パネルキャパシタ（Ｃｐ）に供給するための電流パスを形成するために前記ソースキャパシタ（Ｃｓ１）と前記第１インダクタ（Ｌ１）の間に直列に接続された第１スイッチ（ＳＷ１）及び第１ダイオード（Ｄ１）、前記パネルキャパシタ（Ｃｐ）から放電に寄与しなかった無効電力のエネルギーを回収するための電流パスを形成するために第１ダイオード（Ｄ１）と前記第１インダクタ（Ｌ１）の共通端子である第１ノード（Ｎ１）とソースキャパシタ（Ｃｓ１）の間に直列に接続された第２ダイオード（Ｄ２）及び第２スイッチ（ＳＷ２）を含む。
【００１９】
前記ソースキャパシタ（Ｃｓ１）は、サステイン放電時に前記パネルキャパシタ（Ｃｐ）に充電される電圧（エネルギー）を回収して充電すると共に、その内部に充電された電圧（エネルギー）を前記パネルキャパシタ（Ｃｐ）に再供給する。
【００２０】
このようなソースキャパシタ（Ｃｓ１）には、サステイン電圧（Ｖｓ）の半値である１/２サステイン電圧（Ｖｓ/２）が充電される。前記第１インダクタ（Ｌ１）は、一定のインダクタンス値を持って、前記パネルキャパシタ（Ｃｐ）と共に共振回路を形成する。
【００２１】
このために、第１スイッチ（ＳＷ１）ないし第４スイッチ（ＳＷ４）は、電流の流れを制御する。この時、前記第１スイッチ（ＳＷ１）ないし第４スイッチ（ＳＷ４）には、電流の流れを制御するための内部ダイオードが形成される。
【００２２】
一方、前記第１ダイオード（Ｄ１）は、前記ソースキャパシタ（Ｃｓ１）に充電された電圧が前記パネルキャパシタ（Ｃｐ）に供給される時に前記パネルキャパシタ（Ｃｐ）からの逆電流を防止し、前記第２ダイオード（Ｄ２）は、前記パネルキャパシタ（Ｃｐ）に充電された電圧が前記ソースキャパシタ（Ｃｓ１）に回収される時に前記ソースキャパシタ（Ｃｓ１）からの逆電流を防止する。
【００２３】
前記サステイン電圧供給部６は、リセット期間の間にセットアップ期間とサステイン期間の間に前記パネルキャパシタ（Ｃｐ）のスキャン電極（Ｙ）にサステイン電圧（Ｖｓ）を供給する。このようなサステイン電圧供給部６は、サステイン電圧源（Ｖｓ）と第２ノード（Ｎ２）の間に接続された第３スイッチ（ＳＷ３）を含む。
【００２４】
前記基底電圧供給部８は、サステイン期間の間に前記パネルキャパシタ（Ｃｐ）のスキャン電極（Ｙ）に基底電圧（ＧＮＤ）を供給する。このような基底電圧供給部８は、基底電圧源（ＧＮＤ）と第２ノード（Ｎ２）の間に接続された第４スイッチ（ＳＷ４）を含む。
【００２５】
図２は、図１に図示された各スイッチのオン/オフタイミングとパネルキャパシタの出力波形を示したタイミング図及び波形図である。
【００２６】
図２を参照すると、ｔ１期間の以前に前記パネルキャパシタ（Ｃｐ）には、０Ｖの電圧が充電されると共に、前記ソースキャパシタ（Ｃｓ１）には、１/２サステイン電圧（Ｖｓ/２）が充電されていると仮定して動作過程を詳しく説明する。
【００２７】
ｔ１期間には、前記第１スイッチ（ＳＷ１）がターン-オン（Turn-on）されて前記ソースキャパシタ（Ｃｓ１）、第１スイッチ（ＳＷ１）、第１ダイオード（Ｄ１）、前記第１インダクタ（Ｌ１）及びパネルキャパシタ（Ｃｐ）につながる電流パスが形成される。
【００２８】
これによって、前記ソースキャパシタ（Ｃｓ１）に充電された１/２サステイン電圧（Ｖｓ/２）は、前記パネルキャパシタ（Ｃｐ）のスキャン電極（Ｙ）に供給される。この時、前記第１インダクタ（Ｌ１）とパネルキャパシタ（Ｃｐ）は、直列共振回路を形成するから、前記パネルキャパシタ（Ｃｐ）には、前記ソースキャパシタ（Ｃｓ１）から供給される電圧の２倍であるサステイン電圧（Ｖｓ）が充電される。
【００２９】
ｔ２期間には、前記第１スイッチ（ＳＷ１）はターン-オフされ、第３スイッチ（ＳＷ３）がターン-オンされる。これによって、サステイン電圧源（Ｖｓ）からのサステイン電圧（Ｖｓ）が前記パネルキャパシタ（Ｃｐ）のスキャン電極（Ｙ）に供給される。この時、前記パネルキャパシタ（Ｃｐ）は、ｔ２期間の間にサステイン電圧（Ｖｓ）を維持する。
【００３０】
一方、前記パネルキャパシタ（Ｃｐ）の電圧は、ｔ１期間にサステイン電圧（Ｖｓ）まで上昇したから、サステイン放電を起こすために外部から供給する駆動電力は最小化される。
【００３１】
ｔ３期間には、前記第３スイッチ（ＳＷ３）はターン-オフされ、第２スイッチ（ＳＷ２）がターン-オンされる。これによって、前記パネルキャパシタ（Ｃｐ）、前記第１インダクタ（Ｌ１）、第２ダイオード（Ｄ２）、第２スイッチ（ＳＷ２）及びソースキャパシタ（Ｃｓ１）につながる電流パスが形成されて、前記パネルキャパシタ（Ｃｐ）に充電された電圧が前記ソースキャパシタ（Ｃｓ１）に回収される。この時、該ソースキャパシタ（Ｃｓ１）には、１/２サステイン電圧（Ｖｓ/２）が充電される。
【００３２】
ｔ３期間の以後には、前記第２スイッチ（ＳＷ３）はターン-オフされ、第４スイッチ（ＳＷ４）がターン-オンされる。
【００３３】
これによって、前記パネルキャパシタ（Ｃｐ）のスキャン電極（Ｙ）には、基底電圧（ＧＮＤ）が供給される。この時、前記パネルキャパシタ（Ｃｐ）は、サステイン電極（Ｚ）にサステインパルスが供給される間に基底電圧（ＧＮＤ）を維持する。
以上の動作を繰り返して、スキャン電極にサステインパルスが供給される。
【００３４】
一方、前記第２エネルギー回収装置１２は、前記第１エネルギー回収装置２と交番的に動作しながら前記パネルキャパシタ（Ｃｐ）のサステイン電極（Ｚ）にサステインパルスを供給する。
【００３５】
したがって、前記パネルキャパシタ（Ｃｐ）には、互いに反対極性を持つサステインパルスが供給される。このように前記パネルキャパシタ（Ｃｐ）に互いに反対極性を持つサステインパルスが供給されることで、各放電セルでサステイン放電が起きる。
【発明の開示】
【発明が解決しようとする課題】
【００３６】
しかし、このような従来のＰＤＰのエネルギー回収装置においては、前記パネルキャパシタ（Ｃｐ）にサステイン電圧（Ｖｓ）が充電される充電時間と前記パネルキャパシタ（Ｃｐ）に貯蔵されたエネルギーが放電する放電時間を制御する第１インダクタ（Ｌ１）が一定の値に固定されているため、画面のパターンやＰＤＰのロード（Load）によって充電時間及び放電時間が変わる場合、充/放電効率が変わるか、またはＰＤＰのマージンが減るという問題点があった。
【００３７】
すなわち、ある一地点で効率を最大限に調整しても画面のパターンが変わるか、またはＰＤＰのロードが変わると、前記パネルキャパシタ（Ｃｐ）の充電時間及び放電時間が変わり、効率が変わるだけではなく、ＰＤＰのマージンが変って画面が不安になるという問題点があった。
【００３８】
本発明は、効率及びマージンを向上し得るプラズマディスプレイパネルのエネルギー回収装置を提供することを目的とする。
【課題を解決するための手段】
【００３９】
本発明の第１実施形態によるプラズマディスプレイ装置においては、電極を含むプラズマディスプレイパネル及び電極に印加されるパルスの供給経路上に位置した可変インダクタを含むエネルギー/回収供給部を含むことを特徴とする。
【００４０】
本発明の他の実施形態によるプラズマディスプレイ装置においては、電極を含むプラズマディスプレイパネルと前記電極にサステインパルスを印加するためのサステイン電圧を供給するサステイン電圧供給部及び前記電極に印加される前記サステインパルスの傾斜度を一定にするエネルギー回収/供給部を含むことを特徴とする。
【００４１】
本発明のまた他の実施形態によるプラズマディスプレイ装置においては、電極を含むプラズマディスプレイパネル及び前記電極に印加されるパルスの充/放電パス上に位置し、画面のパターンまたは前記プラズマディスプレイパネルのロードによってインダクタンスが可変するインダクタを含むエネルギー回収/供給部を含むことを特徴とする。
【００４２】
本発明のまた他の実施形態によるプラズマディスプレイ装置の駆動方法においては、画面パターンまたはプラズマディスプレイパネルのロードによって充/放電パス上のインダクタのインダクタンスを変化させる段階及び前記サステインパルスの上昇/下降する傾斜度を一定にする段階を含む。
【発明の効果】
【００４３】
本発明は、プラズマディスプレイパネルのマージンを向上し得るし、パネルキャパシタの充電時間を放電時間より速くして放電効率及びエネルギー回収効率を向上し得るという効果がある。
【発明を実施するための最良の形態】
【００４４】
以下、添付の図面を参照しつつ本発明のプラズマディスプレイ装置を詳細に説明する。
本発明の第１実施形態によるプラズマディスプレイ装置においては、電極を含むプラズマディスプレイパネル及び電極に印加されるパルスの供給経路上に位置した可変インダクタを含むエネルギー/回収供給部を含む。
【００４５】
本発明の他の実施形態によるプラズマディスプレイ装置においては、電極を含むプラズマディスプレイパネルと前記電極にサステインパルスを印加するためのサステイン電圧を供給するサステイン電圧供給部及び前記電極に印加される前記サステインパルスの傾斜度を一定にするエネルギー回収/供給部を含む。
【００４６】
該エネルギー回収/供給部は、前記プラズマディスプレイパネルにエネルギーを供給及び回収するためのソースキャパシタ及び該ソースキャパシタと前記電極の間に接続され、前記サステインパルスの傾斜度を一定にするように可変インダクタを含む。
【００４７】
前記エネルギー回収/供給部は、前記プラズマディスプレイパネルにエネルギーを供給及び回収するためのソースキャパシタ、該ソースキャパシタと前記プラズマディスプレイパネルの電極の間に接続された第１インダクタ、前記ソースキャパシタと前記第１インダクタの間に接続された第２インダクタ及び前記ソースキャパシタと前記第１インダクタの間に前記第２インダクタと並列に接続された第３インダクタを含む。
【００４８】
前記第１インダクタ、前記第２インダクタ及び前記第３インダクタは、インダクタンスを可変し得る可変インダクタであることが好ましい。
【００４９】
前記第１インダクタ、前記第２インダクタ及び前記第３インダクタは、同一のインダクタンスを持つことが好ましい。
【００５０】
前記第１インダクタ、前記第２インダクタ及び前記第３インダクタは、互いに異なるインダクタンスを持つことが好ましい。
【００５１】
前記第２インダクタは、前記第３インダクタより大きいインダクタンスを持つことが好ましい。
【００５２】
前記第１インダクタは、一定のインダクタンスを持って、前記第２インダクタ及び前記第３インダクタは、インダクタンスを可変し得る可変インダクタであることが好ましい。
【００５３】
前記第１インダクタ、前記第２インダクタ及び前記第３インダクタは、同一のインダクタンスを持つことが好ましい。
【００５４】
前記第１インダクタ、前記第２インダクタ及び前記第３インダクタは、互いに異なるインダクタンスを持つことが好ましい。
【００５５】
前記第２インダクタは、前記第３インダクタより大きいインダクタンスを持つことが好ましい。
【００５６】
前記第１インダクタは、インダクタンスを可変し得る可変インダクタで、前記第２インダクタ及び前記第３インダクタは、一定のインダクタンスを持つことが好ましい。
【００５７】
前記第１インダクタ、前記第２インダクタ及び前記第３インダクタは、同一のインダクタンスを持つことが好ましい。
【００５８】
前記第１インダクタ、前記第２インダクタ及び前記第３インダクタは、互いに異なるインダクタンスを持つことが好ましい。
【００５９】
前記第２インダクタは、前記第３インダクタより大きいインダクタンスを持つことが好ましい。
【００６０】
本発明のまた他の実施形態によるプラズマディスプレイ装置においては、電極を含むプラズマディスプレイパネル及び前記電極に印加されるパルスの充/放電パス上に位置し、画面のパターンまたは前記プラズマディスプレイパネルのロードによってインダクタンスが可変するインダクタを含むエネルギー回収/供給部を含む。
【００６１】
該エネルギー回収/供給部は、前記プラズマディスプレイパネルにエネルギーを供給及び回収するためのソースキャパシタ、前記プラズマディスプレイパネルのエネルギーを供給する経路上に前記ソースキャパシタと前記プラズマディスプレイパネルの電極の間に接続された第２インダクタ及び前記プラズマディスプレイパネルのエネルギーを回収する経路上に前記ソースキャパシタと前記プラズマディスプレイパネルの電極の間に前記第２インダクタと並列に接続された第３インダクタを含む。
【００６２】
本発明のまた他の実施形態によるプラズマディスプレイ装置の駆動方法においては、画面パターンまたはプラズマディスプレイパネルのロードによって充/放電パス上のインダクタのインダクタンスを変化させる段階及び前記サステインパルスの上昇/下降する傾斜度を一定にする段階を含む。
【００６３】
前記インダクタは、可変インダクタであることが好ましい。
【００６４】
以下、本発明の第１実施形態による具体的な実施形態について添付された図面を参照して説明する。
【００６５】
＜第１実施形態＞
図３は、本発明の第１実施形態にによるプラズマディスプレイ装置の中でエネルギー回収装置を示した回路図である。
【００６６】
図３を参照すると、本発明の第１実施形態にによるプラズマディスプレイ装置の中でエネルギー回収装置５２、６２は、前記パネルキャパシタ（Ｃｐ）を間に置いて互いに対称的に設置される。
【００６７】
この時、前記第１エネルギー回収装置５２は、スキャン電極（Ｙ）にサステインパルスを供給し、前記第２エネルギー回収装置６２は、前記第１エネルギー回収装置５２と交番的に動作しながらサステイン電極（Ｚ）にサステインパルスを供給する。
【００６８】
ここで、前記第１エネルギー回収装置５２と第２エネルギー回収装置６２は、同一の構成要素から成るから、本発明の第１実施形態にによるプラズマディスプレイ装置の中でエネルギー回収装置５２、６２の構成について第１エネルギー回収装置５２を参照して説明する。
【００６９】
前記第１エネルギー回収装置５２は、プラズマディスプレイパネル（Plasma  Display  Panel;以下、"ＰＤＰ"と略す）で放電に寄与しない無効電力のエネルギーを回収すると共に、該回収されたエネルギーを前記パネルキャパシタ（Ｃｐ）に供給するエネルギー回収/供給部５４、前記パネルキャパシタ（Ｃｐ）のスキャン電極（Ｙ）にサステイン電圧（Ｖｓ）を供給するためのサステイン電圧供給部５６及びパネルキャパシタ（Ｃｐ）のスキャン電極（Ｙ）に基底電圧（ＧＮＤ）を供給するための基底電圧供給部５８を含む。
【００７０】
前記エネルギー回収/供給部５４は、前記パネルキャパシタ（Ｃｐ）のスキャン電極（Ｙ）に接続され、前記パネルキャパシタ（Ｃｐ）で放電に寄与しなかった無効電力のエネルギーを回収すると共に、該回収されたエネルギーを前記パネルキャパシタ（Ｃｐ）のスキャン電極（Ｙ）に供給する。
【００７１】
すなわち、前記エネルギー回収/供給部５４は、サステイン電圧（Ｖｓ）によって前記パネルキャパシタ（Ｃｐ）に貯蔵されたエネルギーを回収し、該回収されたエネルギーを前記パネルキャパシタ（Ｃｐ）のスキャン電極（Ｙ）に供給する。
【００７２】
このようなエネルギー回収/供給部５４は、前記パネルキャパシタ（Ｃｐ）のスキャン電極（Ｙ）から回収されたエネルギーを貯蔵するためのソースキャパシタ（Ｃｓ１）、該ソースキャパシタ（Ｃｓ１）とパネルキャパシタ（Ｃｐ）のスキャン電極（Ｙ）の間に接続された第１インダクタ（Ｌ１）、前記ソースキャパシタ（Ｃｓ１）と前記第１インダクタ（Ｌ１）の間に並列に接続された第１スイッチ（ＳＷ１）及び第２スイッチ（ＳＷ２）、第１スイッチ（ＳＷ１）と前記第１インダクタ（Ｌ１）の間に直列に接続された第１ダイオード（Ｄ１）及び第２インダクタ（Ｌ２）、これら第１インダクタ（Ｌ１）及び第２インダクタ（Ｌ２）の共通端子である第１ノード（Ｎ１）と第２スイッチ（ＳＷ２）の間に直列に接続された第３インダクタ（Ｌ３）及び第２ダイオード（Ｄ２）を含む。
【００７３】
前記ソースキャパシタ（Ｃｓ１）は、前記パネルキャパシタ（Ｃｐ）に充電されたエネルギーを回収すると共に、該回収されたエネルギーを前記パネルキャパシタ（Ｃｐ）のスキャン電極（Ｙ）に再供給する。
【００７４】
このようなソースキャパシタ（Ｃｓ１）には、サステイン電圧（Ｖｓ）の半値である１/２サステイン電圧（Ｖｓ/２）が充電される。
【００７５】
前記第１インダクタ（Ｌ１）ないし第３インダクタ（Ｌ３）は、前記第１スイッチ（ＳＷ１）及び第２スイッチ（ＳＷ２）のスイチングによって前記パネルキャパシタ（Ｃｐ）と共振ループを形成する。
【００７６】
この時、前記第１インダクタ（Ｌ１）及び第２インダクタ（Ｌ２）は、前記パネルキャパシタ（Ｃｐ）とのＬＣ共振によって前記ソースキャパシタ（Ｃｓ１）から供給されるエネルギーを前記パネルキャパシタ（Ｃｐ）に供給し、前記第１インダクタ（Ｌ１）及び第３インダクタ（Ｌ３）は、前記パネルキャパシタ（Ｃｐ）とのＬＣ共振によって前記パネルキャパシタ（Ｃｐ）に貯蔵されたエネルギーを前記ソースキャパシタ（Ｃｓ１）に回収する。
【００７７】
このような前記第１インダクタ（Ｌ１）ないし第３インダクタ（Ｌ３）は、同一のインダクタンス値を持つか、または互いに異なるインダクタンス値を持つ。また、前記第２インダクタ（Ｌ２）は、前記第３インダクタ（Ｌ３）と同一のインダクタンスを持つか、またはより大きいインダクタンスを持つ。
【００７８】
この時、前記第２インダクタ（Ｌ２）及び第３インダクタ（Ｌ３）のインダクタンスが同一であると、前記パネルキャパシタ（Ｃｐ）の充/放電時間は同一で、前記第２インダクタ（Ｌ２）が第３インダクタ（Ｌ３）より大きいインダクタンスを持つと、前記パネルキャパシタ（Ｃｐ）の充電時間が放電時間より速くなる。
【００７９】
ここで、前記第１インダクタ（Ｌ１）は、放電電流パス及び回収電流パス上のインダクタンスを大きくして放電効率及びエネルギー回収効率を制御し得る範囲を広げ得るようにし、前記第２インダクタ（Ｌ２）は、前記パネルキャパシタ（Ｃｐ）の充電時間を制御し、前記第３インダクタ（Ｌ３）は、前記パネルキャパシタ（Ｃｐ）の放電時間を制御する。
【００８０】
このような前記第１インダクタ（Ｌ１）ないし第３インダクタ（Ｌ３）は、インダクタンス値を可変し得る可変インダクタが使われる。これによって、画面のパターン（Pattern）が変わるか、または前記パネルキャパシタ（Ｃｐ）のロード（Load）が変わっても前記第１インダクタ（Ｌ１）ないし第３インダクタ（Ｌ３）のインダクタンス値を可変することで、放電効率及びエネルギー回収効率をいつも一定に維持し得るようにする。
【００８１】
このように本発明においては、インダクタンスの値を可変し得る前記第１インダクタ（Ｌ１）ないし第３インダクタ（Ｌ３）を使うことで、放電効率、エネルギー回収効率及び前記パネルキャパシタ（Ｃｐ）のマージンを向上し得る。
【００８２】
前記第１スイッチ（ＳＷ１）は、前記ソースキャパシタ（Ｃｓ１）と第１ダイオード（Ｄ１）の間に接続され、タイミングコントローラ（図示せず）から供給される第１スイチング制御信号によって前記ソースキャパシタ（Ｃｓ１）に貯蔵されたエネルギーが前記パネルキャパシタ（Ｃｐ）に供給されるように電流パスを形成する。
【００８３】
前記第２スイッチ（ＳＷ２）は、前記ソースキャパシタ（Ｃｓ１）と第２ダイオード（Ｄ２）の間に接続され、タイミングコントローラ（図示せず）から供給される第２スイチング制御信号によって前記パネルキャパシタ（Ｃｐ）で放電に寄与しない無効電力のエネルギーが前記ソースキャパシタ（Ｃｓ１）に供給されるように電流パスを形成する。
【００８４】
第１ダイオード（Ｄ１）は、前記第１スイッチ（ＳＷ１）と第２インダクタ（Ｌ２）の間に接続され、前記ソースキャパシタ（Ｃｓ１）からのエネルギーが前記パネルキャパシタ（Ｃｐ）のスキャン電極（Ｙ）に供給される時に前記パネルキャパシタ（Ｃｐ）のスキャン電極（Ｙ）からの逆電流を防止する。
【００８５】
第２ダイオード（Ｄ２）は、前記第３インダクタ（Ｌ３）と第２スイッチ（ＳＷ２）の間に接続され、前記パネルキャパシタ（Ｃｐ）からのエネルギーが前記ソースキャパシタ（Ｃｓ１）に回収される時に前記ソースキャパシタ（Ｃｓ１）からの逆電流を防止する。
【００８６】
サステイン電圧供給部５６は、前記第２ノード（Ｎ２）に接続され、リセット期間の間にセットアップ期間とサステイン期間の間に前記パネルキャパシタ（Ｃｐ）のスキャン電極（Ｙ）にサステイン電圧（Ｖｓ）を供給する。このようなサステイン電圧供給部５６は、サステイン電圧源（Ｖｓ）及び第３スイッチ（ＳＷ３）を含む。
【００８７】
前記第３スイッチ（ＳＷ３）は、サステイン電圧源（Ｖｓ）と第２ノード（Ｎ２）の間に接続され、タイミングコントローラ（図示せず）から供給される第３スイチング制御信号に応答してサステイン電圧源（Ｖｓ）を第２ノード（Ｎ２）に電気的に接続させる。
【００８８】
これによって、リセット期間の間にセットアップ期間とサステイン期間に第２ノード（Ｎ２）には、サステイン電圧（Ｖｓ）が伝達される。
【００８９】
前記基底電圧供給部５８は、前記第２ノード（Ｎ２）に接続され、サステイン期間の間にサステイン電圧供給部５６と交番的にスキャン電極（Ｙ）に基底電圧（ＧＮＤ）を供給する。このような基底電圧供給部５８は、基底電圧源（ＧＮＤ）及び第４スイッチ（ＳＷ４）を含む。
【００９０】
前記第４スイッチ（ＳＷ４）は、第４ノード（Ｎ４）と基底電圧源（ＧＮＤ）の間に接続され、タイミングコントローラ（図示せず）から供給される第４スイチング制御信号に応答して基底電圧源（ＧＮＤ）を第２ノード（Ｎ２）に電気的に接続させる。
【００９１】
これによって、サステイン期間の間に前記第２ノード（Ｎ２）には、基底電圧（ＧＮＤ）が伝達される。このような第４スイッチ（ＳＷ４）は、サステイン期間の間に第３スイッチ（ＳＷ３）と交番的に動作される。すなわち、サステイン期間の間に前記第２ノード（Ｎ２）には、サステイン電圧（Ｖｓ）と基底電圧（ＧＮＤ）が交番的に供給される。
【００９２】
図４は、画面のパターンやＰＤＰのロードによって前記パネルキャパシタの充/放電時間の変化を示した図面である。
【００９３】
図４を参照すると、画面のパターンや前記パネルキャパシタ（Ｃｐ）のロードが一定である場合、前記パネルキャパシタ（Ｃｐ）は、点線のような傾斜度でサステイン電圧（Ｖｓ）を充/放電する。
【００９４】
しかし、画面のパターンや前記パネルキャパシタ（Ｃｐ）のロードが減少する場合、ａ及びｃのように前記パネルキャパシタ（Ｃｐ）の充/放電時間は速くなり、画面のパターンや前記パネルキャパシタ（Ｃｐ）のロードが増加する場合、ｂ及びｄのように前記パネルキャパシタ（Ｃｐ）の充/放電時間は遅くなる。
【００９５】
しかし、本発明の第１実施形態によるプラズマディスプレイ装置においては、前記パネルキャパシタ（Ｃｐ）の充/放電時間を制御する第１インダクタ（Ｌ１）ないし第３インダクタ（Ｌ３）のインダクタンスが可変可能であるから、画面のパターンや前記パネルキャパシタ（Ｃｐ）のロードが増加する場合、前記第１インダクタ（Ｌ１）ないし第３インダクタ（Ｌ３）のインダクタンスを増やすことで、前記パネルキャパシタ（Ｃｐ）の充/放電時間を点線の傾斜度に移動させることができる。
【００９６】
また、画面のパターンや前記パネルキャパシタ（Ｃｐ）のロードが減少する場合、前記第１インダクタ（Ｌ１）ないし第３インダクタ（Ｌ３）のインダクタンスを減らすことで、前記パネルキャパシタ（Ｃｐ）の充/放電時間を点線の傾斜度に移動させることができる。
【００９７】
この時、前記パネルキャパシタ（Ｃｐ）の充/放電時間は、前記第２インダクタ（Ｌ２）及び第３インダクタ（Ｌ３）のインダクタンスのみを変化させて前記パネルキャパシタ（Ｃｐ）の充/放電時間を点線の傾斜度で移動させることもできる。
【００９８】
この時、前記パネルキャパシタ（Ｃｐ）の充電時間は、放電時間より短い時間が所要されることができる。
【００９９】
このように、本発明の第１実施形態によるプラズマディスプレイ装置の中でエネルギー回収装置は、画面のパターンや前記パネルキャパシタ（Ｃｐ）のロードに係わらず、前記パネルキャパシタ（Ｃｐ）の充/放電時間を同一に維持させることができる。
また、第２インダクタ（Ｌ２）及び第３インダクタ（Ｌ３）のインダクタンス値をそれぞれ変更することが可能であるので、充電時間と放電時間とを独立に調節することが容易である。
【０１００】
＜第２実施形態＞
図５は、本発明の第２実施形態にによるプラズマディスプレイ装置の中でエネルギー回収装置を示した図面である。
【０１０１】
図５を参照すると、本発明の第２実施形態にによるプラズマディスプレイ装置の中でエネルギー回収装置１０２、１１２は、前記パネルキャパシタ（Ｃｐ）を間に置いて互いに対称的に設置される。
【０１０２】
この時、前記第１エネルギー回収装置１０２は、スキャン電極（Ｙ）にサステインパルスを供給し、前記第２エネルギー回収装置１１２は、前記第１エネルギー回収装置１０２と交番的に動作しながらサステイン電極（Ｚ）にサステインパルスを供給する。
【０１０３】
ここで、前記第１エネルギー回収装置１０２と第２エネルギー回収装置１１２は、同一の構成要素から成るから、本発明の第２実施形態にによるプラズマディスプレイ装置の中で前記エネルギー回収装置１０２、１１２の構成について前記第１エネルギー回収装置１０２を参照して説明する。
【０１０４】
前記第１エネルギー回収装置１０２は、ＰＤＰで放電に寄与しない無効電力のエネルギーを回収すると共に、該回収されたエネルギーを前記パネルキャパシタ（Ｃｐ）に供給するエネルギー回収/供給部１０４、前記パネルキャパシタ（Ｃｐ）のスキャン電極（Ｙ）にサステイン電圧（Ｖｓ）を供給するためのサステイン電圧供給部１０６及び前記パネルキャパシタ（Ｃｐ）のスキャン電極（Ｙ）に基底電圧（ＧＮＤ）を供給するための基底電圧供給部１０８を含む。
【０１０５】
ここで、前記エネルギー回収/供給部１０４を除いた残りの構成要素は、本発明の第１実施形態にによるプラズマディスプレイパネルのエネルギー回収装置と同一であるから、前記エネルギー回収/供給部１０４を除いた残りの構成要素に対する詳細な説明は、上述した説明に代置する。
【０１０６】
前記エネルギー回収/供給部１０４は、前記パネルキャパシタ（Ｃｐ）のスキャン電極（Ｙ）に接続され、前記パネルキャパシタ（Ｃｐ）で放電に寄与しなかった無効電力のエネルギーを回収すると共に、該回収されたエネルギーを前記パネルキャパシタ（Ｃｐ）のスキャン電極（Ｙ）に供給する。
【０１０７】
すなわち、前記エネルギー回収/供給部１０４は、サステイン電圧（Ｖｓ）によって前記パネルキャパシタ（Ｃｐ）に貯蔵されたエネルギーを回収し、該回収されたエネルギーを前記パネルキャパシタ（Ｃｐ）のスキャン電極（Ｙ）に供給する。
【０１０８】
このようなエネルギー回収/供給部１０４は、前記パネルキャパシタ（Ｃｐ）のスキャン電極（Ｙ）から回収されたエネルギーを貯蔵するためのソースキャパシタ（Ｃｓ１）、該ソースキャパシタ（Ｃｓ１）とパネルキャパシタ（Ｃｐ）のスキャン電極（Ｙ）の間に接続された第１インダクタ（Ｌ１）、前記ソースキャパシタ（Ｃｓ１）と前記第１インダクタ（Ｌ１）の間に並列に接続された第１スイッチ（ＳＷ１）及び第２スイッチ（ＳＷ２）、第１スイッチ（ＳＷ１）と前記第１インダクタ（Ｌ１）の間に直列に接続された第１ダイオード（Ｄ１）及び第２インダクタ（Ｌ２）、前記第１インダクタ（Ｌ１）及び第２インダクタ（Ｌ２）の共通端子である第１ノード（Ｎ１）と第２スイッチ（ＳＷ２）の間に直列に接続された第３インダクタ（Ｌ３）及び第２ダイオード（Ｄ２）を含む。
【０１０９】
前記ソースキャパシタ（Ｃｓ１）は、前記パネルキャパシタ（Ｃｐ）に充電されたエネルギーを回収すると共に、該回収されたエネルギーを前記パネルキャパシタ（Ｃｐ）のスキャン電極（Ｙ）に再供給する。
【０１１０】
このようなソースキャパシタ（Ｃｓ１）には、サステイン電圧（Ｖｓ）の半値である１/２サステイン電圧（Ｖｓ/２）が充電される。
【０１１１】
前記第１インダクタ（Ｌ１）ないし第３インダクタ（Ｌ３）は、前記第１スイッチ（ＳＷ１）及び第２スイッチ（ＳＷ２）のスイチングによって前記パネルキャパシタ（Ｃｐ）と共振ループを形成する。
【０１１２】
この時、前記第１インダクタ（Ｌ１）及び第２インダクタ（Ｌ２）は、前記パネルキャパシタ（Ｃｐ）とのＬＣ共振によって前記ソースキャパシタ（Ｃｓ１）から供給されるエネルギーを前記パネルキャパシタ（Ｃｐ）に供給し、前記第１インダクタ（Ｌ１）及び第３インダクタ（Ｌ３）は、前記パネルキャパシタ（Ｃｐ）とのＬＣ共振によって前記パネルキャパシタ（Ｃｐ）に貯蔵されたエネルギーを前記ソースキャパシタ（Ｃｓ１）に回収する。
【０１１３】
このような前記第１インダクタ（Ｌ１）ないし第３インダクタ（Ｌ３）は、同一のインダクタンス値を持つか、または互いに異なるインダクタンス値を持つ。
【０１１４】
また、前記第２インダクタ（Ｌ２）は、前記第３インダクタ（Ｌ３）と同一のインダクタンスを持つか、またはより大きいインダクタンスを持つ。この時、前記第２インダクタ（Ｌ２）及び第３インダクタ（Ｌ３）のインダクタンスが同一であると、前記パネルキャパシタ（Ｃｐ）の充/放電時間は同一で、前記第２インダクタ（Ｌ２）が第３インダクタ（Ｌ３）より大きいインダクタンスを持つと、前記パネルキャパシタ（Ｃｐ）の充電時間が放電時間より速くなる。
【０１１５】
ここで、前記第１インダクタ（Ｌ１）は、放電電流パス及び回収電流パス上のインダクタンスを大きくして放電効率及びエネルギー回収効率を制御し得る範囲を広げ得るようにし、前記第２インダクタ（Ｌ２）は、前記パネルキャパシタ（Ｃｐ）の充電時間を制御し、前記第３インダクタ（Ｌ３）は、前記パネルキャパシタ（Ｃｐ）の放電時間を制御する。
【０１１６】
この時、前記第１インダクタ（Ｌ１）は、一定のインダクタンス値を持って、前記第２インダクタ（Ｌ２）及び第３インダクタ（Ｌ３）は、インダクタンス値を可変し得る可変インダクタが使われる。
【０１１７】
これによって、画面のパターンが変わるか、または前記パネルキャパシタ（Ｃｐ）のロードが変わっても前記第２インダクタ（Ｌ２）及び第３インダクタ（Ｌ３）のインダクタンスを可変して前記パネルキャパシタ（Ｃｐ）の充電時間及び放電時間を一定に調節することで、放電効率及びエネルギー回収効率をいつも一定に維持し得るようにする。
【０１１８】
このように本発明の第２実施形態によるプラズマディスプレイ装置においては、インダクタンスの値を可変し得る第２インダクタ（Ｌ２）及び第３インダクタ（Ｌ３）を使うことで、放電効率、エネルギー回収効率及び前記パネルキャパシタ（Ｃｐ）のマージンを向上し得る。ここで、第２インダクタ（Ｌ２）及び第３インダクタ（Ｌ３）により充電時間及び放電時間を充分に調節可能である場合には、前記第１インダクタ（Ｌ１）は、除去されることができる。
【０１１９】
前記第１スイッチ（ＳＷ１）は、前記ソースキャパシタ（Ｃｓ１）と第１ダイオード（Ｄ１）の間に接続され、タイミングコントローラ（図示せず）から供給される第１スイチング制御信号によって前記ソースキャパシタ（Ｃｓ１）に貯蔵されたエネルギーが前記パネルキャパシタ（Ｃｐ）に供給されるように電流パスを形成する。
【０１２０】
前記第２スイッチ（ＳＷ２）は、前記ソースキャパシタ（Ｃｓ１）と第２ダイオード（Ｄ２）の間に接続され、タイミングコントローラ（図示せず）から供給される第２スイチング制御信号によって前記パネルキャパシタ（Ｃｐ）で放電に寄与しない無効電力のエネルギーが前記ソースキャパシタ（Ｃｓ１）に供給されるように電流パスを形成する。
【０１２１】
第１ダイオード（Ｄ１）は、前記第１スイッチ（ＳＷ１）と第２インダクタ（Ｌ２）の間に接続され、前記ソースキャパシタ（Ｃｓ１）からのエネルギーが前記パネルキャパシタ（Ｃｐ）のスキャン電極（Ｙ）に供給される時に前記パネルキャパシタ（Ｃｐ）のスキャン電極（Ｙ）からの逆電流を防止する。
【０１２２】
第２ダイオード（Ｄ２）は、前記第３インダクタ（Ｌ３）と第２スイッチ（ＳＷ２）の間に接続され、前記パネルキャパシタ（Ｃｐ）からのエネルギーが前記ソースキャパシタ（Ｃｓ１）に回収される時に前記ソースキャパシタ（Ｃｓ１）からの逆電流を防止する。
また、第２インダクタ（Ｌ２）及び第３インダクタ（Ｌ３）のインダクタンス値をそれぞれ変更することが可能であるので、充電時間と放電時間とを独立に調節することが容易である。
【０１２３】
＜第３実施形態＞
図６は、本発明の第３実施形態にによるプラズマディスプレイ装置の中でエネルギー回収装置を示した図面である。
【０１２４】
図６を参照すると、本発明の第３実施形態にによるプラズマディスプレイ装置の中でエネルギー回収装置１５２、１６２は、前記パネルキャパシタ（Ｃｐ）を間に置いて互いに対称的に設置される。
【０１２５】
この時、前記第１エネルギー回収装置１５２は、スキャン電極（Ｙ）にサステインパルスを供給し、前記第２エネルギー回収装置１６２は、前記第１エネルギー回収装置１５２と交番的に動作しながらサステイン電極（Ｚ）にサステインパルスを供給する。
【０１２６】
ここで、前記第１エネルギー回収装置１５２と第２エネルギー回収装置１６２は、同一の構成要素から成るから、本発明の第３実施形態にによるプラズマディスプレイパネルのエネルギー回収装置１５２、１６２の構成について前記第１エネルギー回収装置１５２を参照して説明する。
【０１２７】
前記第１エネルギー回収装置１５２は、ＰＤＰで放電に寄与しない無効電力のエネルギーを回収すると共に、該回収されたエネルギーを前記パネルキャパシタ（Ｃｐ）に供給するエネルギー回収/供給部１５４、前記パネルキャパシタ（Ｃｐ）のスキャン電極（Ｙ）にサステイン電圧（Ｖｓ）を供給するためのサステイン電圧供給部１５６及び前記パネルキャパシタ（Ｃｐ）のスキャン電極（Ｙ）に基底電圧（ＧＮＤ）を供給するための基底電圧供給部１５８を含む。
【０１２８】
ここで、前記エネルギー回収/供給部１５４を除いた残りの構成要素は、本発明の第１実施形態にによるプラズマディスプレイ装置の中でエネルギー回収装置と同一であるから、前記エネルギー回収/供給部１５４を除いた残りの構成要素に対する詳細な説明は、上述した説明に代置する。
【０１２９】
前記エネルギー回収/供給部１５４は、前記パネルキャパシタ（Ｃｐ）のスキャン電極（Ｙ）に接続され、前記パネルキャパシタ（Ｃｐ）で放電に寄与しなかった無効電力のエネルギーを回収すると共に、該回収されたエネルギーを前記パネルキャパシタ（Ｃｐ）のスキャン電極（Ｙ）に供給する。
【０１３０】
すなわち、前記エネルギー回収/供給部１５４は、サステイン電圧（Ｖｓ）によって前記パネルキャパシタ（Ｃｐ）に貯蔵されたエネルギーを回収し、該回収されたエネルギーを前記パネルキャパシタ（Ｃｐ）のスキャン電極（Ｙ）に供給する。
【０１３１】
このようなエネルギー回収/供給部１５４は、前記パネルキャパシタ（Ｃｐ）のスキャン電極（Ｙ）から回収されたエネルギーを貯蔵するためのソースキャパシタ（Ｃｓ１）、該ソースキャパシタ（Ｃｓ１）とパネルキャパシタ（Ｃｐ）のスキャン電極（Ｙ）の間に接続された第１インダクタ（Ｌ１）、前記ソースキャパシタ（Ｃｓ１）と前記第１インダクタ（Ｌ１）の間に並列に接続された第１スイッチ（ＳＷ１）及び第２スイッチ（ＳＷ２）、第１スイッチ（ＳＷ１）と前記第１インダクタ（Ｌ１）の間に直列に接続された第１ダイオード（Ｄ１）及び第２インダクタ（Ｌ２）、前記第１インダクタ（Ｌ１）及び第２インダクタ（Ｌ２）の共通端子である第１ノード（Ｎ１）と第２スイッチ（ＳＷ２）の間に直列に接続された第３インダクタ（Ｌ３）及び第２ダイオード（Ｄ２）を含む。
【０１３２】
前記ソースキャパシタ（Ｃｓ１）は、前記パネルキャパシタ（Ｃｐ）に充電されたエネルギーを回収すると共に、該回収されたエネルギーを前記パネルキャパシタ（Ｃｐ）のスキャン電極（Ｙ）に再供給する。このようなソースキャパシタ（Ｃｓ１）には、サステイン電圧（Ｖｓ）の半値である１/２サステイン電圧（Ｖｓ/２）が充電される。
【０１３３】
前記第１インダクタ（Ｌ１）ないし第３インダクタ（Ｌ３）は、前記第１スイッチ（ＳＷ１）及び第２スイッチ（ＳＷ２）のスイチングによって前記パネルキャパシタ（Ｃｐ）と共振ループを形成する。
【０１３４】
この時、前記第１インダクタ（Ｌ１）及び第２インダクタ（Ｌ２）は、前記パネルキャパシタ（Ｃｐ）とのＬＣ共振によって前記ソースキャパシタ（Ｃｓ１）から供給されるエネルギーを前記パネルキャパシタ（Ｃｐ）に供給し、前記第１インダクタ（Ｌ１）及び第３インダクタ（Ｌ３）は、前記パネルキャパシタ（Ｃｐ）とのＬＣ共振によって前記パネルキャパシタ（Ｃｐ）に貯蔵されたエネルギーを前記ソースキャパシタ（Ｃｓ１）に回収する。
【０１３５】
このような前記第１インダクタ（Ｌ１）ないし第３インダクタ（Ｌ３）は、同一のインダクタンス値を持つか、または互いに異なるインダクタンス値を持つ。
【０１３６】
また、前記第２インダクタ（Ｌ２）は、第３インダクタ（Ｌ３）と同一のインダクタンスを持つか、またはより大きいインダクタンスを持つ。この時、前記第２インダクタ（Ｌ２）及び第３インダクタ（Ｌ３）のインダクタンスが同一であると、前記パネルキャパシタ（Ｃｐ）の充/放電時間は同一で、前記第２インダクタ（Ｌ２）が第３インダクタ（Ｌ３）より大きいインダクタンスを持つと、前記パネルキャパシタ（Ｃｐ）の充電時間が放電時間より速くなる。
【０１３７】
ここで、前記第１インダクタ（Ｌ１）は、放電電流パス及び回収電流パス上のインダクタンスを大きくして放電効率及びエネルギー回収効率を制御し得る範囲を広げ得るようにし、前記第２インダクタ（Ｌ２）は、前記パネルキャパシタ（Ｃｐ）の充電時間を制御し、前記第３インダクタ（Ｌ３）は、前記パネルキャパシタ（Ｃｐ）の放電時間を制御する。
【０１３８】
この時、前記第２インダクタ（Ｌ２）及び第３インダクタ（Ｌ３）は、一定のインダクタンス値を持つ。そして、前記第１インダクタ（Ｌ１）は、インダクタンス値を可変し得る可変インダクタが使われ、前記第２インダクタ（Ｌ２）及び第３インダクタ（Ｌ３）は、一定のインダクタンス値を持つ。
【０１３９】
これによって、前記第１インダクタ（Ｌ１）のインダクタンス値を可変することで、画面のパターンが変わるか、または前記パネルキャパシタ（Ｃｐ）のロードが変わっても放電電流パス及び充電電流パスのインダクタンス値が調節されるから、前記パネルキャパシタ（Ｃｐ）の充電時間及び放電時間が一定に調節し得るようになる。
【０１４０】
これによって、放電効率及びエネルギー回収効率をいつも一定に維持される。このように本発明においては、インダクタンスの値を可変し得る前記第１インダクタ（Ｌ１）を使うことで、放電効率、エネルギー回収効率及び前記パネルキャパシタ（Ｃｐ）のマージンを向上し得る。ここで、第１インダクタ（Ｌ１）のみで充電時間及び放電時間の調節が可能な場合には、前記第２インダクタ（Ｌ２）及び第３インダクタ（Ｌ３）は、除去されることができる。
【０１４１】
前記第１スイッチ（ＳＷ１）は、前記ソースキャパシタ（Ｃｓ１）と第１ダイオード（Ｄ１）の間に接続され、タイミングコントローラ（図示せず）から供給される第１スイチング制御信号によって前記ソースキャパシタ（Ｃｓ１）に貯蔵されたエネルギーが前記パネルキャパシタ（Ｃｐ）に供給されるように電流パスを形成する。
【０１４２】
前記第２スイッチ（ＳＷ２）は、前記ソースキャパシタ（Ｃｓ１）と第２ダイオード（Ｄ２）の間に接続され、タイミングコントローラ（図示せず）から供給される第２スイチング制御信号によって前記パネルキャパシタ（Ｃｐ）で放電に寄与しない無効電力のエネルギーが前記ソースキャパシタ（Ｃｓ１）に供給されるように電流パスを形成する。
【０１４３】
第１ダイオード（Ｄ１）は、前記第１スイッチ（ＳＷ１）と第２インダクタ（Ｌ２）の間に接続され、前記ソースキャパシタ（Ｃｓ１）からのエネルギーが前記パネルキャパシタ（Ｃｐ）のスキャン電極（Ｙ）に供給される時に前記パネルキャパシタ（Ｃｐ）のスキャン電極（Ｙ）からの逆電流を防止する。
【０１４４】
第２ダイオード（Ｄ２）は、前記第３インダクタ（Ｌ３）と第２スイッチ（ＳＷ２）の間に接続され、前記パネルキャパシタ（Ｃｐ）からのエネルギーが前記ソースキャパシタ（Ｃｓ１）に回収される時に前記ソースキャパシタ（Ｃｓ１）からの逆電流を防止する。
また、第１インダクタ（Ｌ１）のインダクタンス値のみを調節することで、充電時間及び放電時間を調節できる。
【図面の簡単な説明】
【０１４５】
【図１】一般的なプラズマディスプレイパネルのエネルギー回収装置を示した回路図である。
【図２】図１に図示された各スイッチのオン/オフタイミングとパネルキャパシタの出力波形を示したタイミング図及び波形図である。
【図３】本発明の第１実施形態によるプラズマディスプレイ装置の中でエネルギー回収装置を示した回路図である。
【図４】画面のパターンやＰＤＰのロードによって前記パネルキャパシタの充/放電時間の変化を示した図面である。
【図５】本発明の第２実施形態にによるプラズマディスプレイ装置の中でエネルギー回収装置を示した回路図である。
【図６】本発明の第３実施形態にによるプラズマディスプレイ装置の中でエネルギー回収装置を示した回路図である。
【符号の説明】
【０１４６】
５２、６２  エネルギー回収装置
５４  エネルギー回収/供給部
５６  サステイン電圧供給部
５８  基底電圧供給部
【図３】
2006285249.tif 000003
【図４】
2006285249.tif 000004
【図５】
2006285249.tif 000005
【図６】
2006285249.tif 000006
【図１】
2006285249.tif 000007
【図２】
2006285249.tif 000008